(57)【要約】【課題】排気、環気及び給気が可能な給排気機構において、暖房時及び冷房時での排気運転時の熱損失や水分損失を低減でき、更には空気調和機内に組込み可能なコンパクトな給排気機構とすること。【解決手段】室内から空気を排出する排気運転、室内の空気を循環する環気運転、並びに室内に空気を供給する給気運転、を実行し得る給排気機構１であって、排気通風路、環気通風路、給気通風路から通風路と、各通風路に空気を送る１個の送風ファン１０と、各通風路を形成するためのダンパ１５，１６，１７と、通気性のある蓄熱吸湿材１１と、を備え、排気、環気、並びに給気の各運転における気流が前記蓄熱吸湿材を通り、蓄熱吸湿材での熱回収と水分回収を行い得ること。また、排気運転と給気運転との交互運転で熱回収を行い、排気運転と環気運転との交互運転で水分回収を行うこと。【選択図】図１
2005249364.tif 000002
【特許請求の範囲】
【請求項１】
室内から空気を排出する排気運転、室内の空気を循環する環気運転、並びに室内に空気を供給する給気運転、を実行し得る給排気機構であって、
排気通風路、環気通風路、給気通風路からなる通風路と、各通風路に空気を送る１個の送風ファンと、各通風路を形成するためのダンパと、通気性のある蓄熱吸湿材と、を備え、
排気、環気、並びに給気の各運転における気流が前記蓄熱吸湿材を通り、
前記蓄熱吸湿材での熱回収と水分回収を行い得る
ことを特徴とする給排気機構。
【請求項２】
請求項１において、
前記排気運転と前記給気運転との交互運転で熱回収を行い、
前記排気運転と前記環気運転との交互運転で水分回収を行う
ことを特徴とする給排気機構。
【請求項３】
請求項１又は２において、
前記ダンパは、第１と第２のダンパから構成されて前記通風路に設けられ、
前記第１のダンパは排気通風路又は環気通風路と給気通風路とを切り換え、前記第２のダンパは排気通風路と環気通風路又は給気通風路とを切り換え、
前記第１と第２のダンパを切り換えることによって、排気運転、環気運転、給気運転のそれぞれの運転を行えるようにする
ことを特徴とする給排気機構。
【請求項４】
請求項３において、
室内熱交換器で熱交換した後の空気を前記蓄熱吸湿材に導く通風路を更に設けるとともに、当該通風路と室内空気の吸込通風路とを切り換える第３のダンパを設け、
暖房運転時に室内熱交換器で加熱した空気で前記蓄熱吸湿材を加熱し水分回収する暖房環気運転を行い得る
ことを特徴とする給排気機構。
【請求項５】
請求項４において、
前記室内空気の吸込通風路又は前記室内熱交換器からの空気を導く通風路にヒータを設けることを特徴とする給排気機構。
【請求項６】
請求項３において、
前記吸排気機構の上方部には、前記送風ファン、前記送風用ファンを駆動するモータ、前記蓄熱吸湿材を配置し、
前記給排気機構の下方部には、空気清浄フィルタ、室外側プレフィルタ、室内側吹出口へ空気を導く通風路、室外に排気又は室内に取り込む室外側給排気口を配置する
ことを特徴とする給排気機構。
【請求項７】
請求項１ないし６のいずれか１つの請求項に記載の給排気機構を室内機内部に組み込んだ冷凍サイクル使用の空気調和機。
【発明の詳細な説明】
【技術分野】
【０００１】
本発明は、蓄熱吸湿材を用いて排気時の熱あるいは水分の回収を可能にする給排気機構に係り、さらに、給排気機構を暖房、冷房等の運転が可能な空気調和機に組み込んだ空気調和機に関する。
【背景技術】
【０００２】
従来の冷凍サイクルを用いて冷房、暖房を行う分離型空気調和機において、排気と給気を行う給排気機構を組み込んだ室内機の構成が提案されている（例えば、特許文献１参照）。
【０００３】
また、他の従来の空気調和機では、排気と水分回収を行う環気の機能を組み込んだ室内機構成が提案されている（例えば、特許文献２参照）。特許文献２の従来技術では、吸着材（蓄熱吸湿材）とヒータを通風路に設けて、暖房排気運転時に排出空気から吸着材に水分を吸着させ、さらにヒータを介した加熱環気運転により吸着材から水分を蒸発させて水分を室内に戻す運転を可能にしている。
【０００４】
また、特許文献２には、吸着材として、回転型と固定型を用いた場合の二つの実施形態が示してあり、このうち固定型吸着剤を用いた場合には、室内からの吸込空気を、ヒータを通しさらに吸着剤に通したあと二つの流路に分け、一方を室外に排気し他方を室内に戻す通風路構成にし、更には二つの流路の分岐部にダンパを設けて、空気流をどちらかの流路に切換えるようにしている。
【０００５】
さらに、一定時間、空気流を室外に排気するようにダンパを切り換え、この場合にはヒータに通電せずに室内空気を吸着剤に流して吸着剤に水分を吸着させ、吸湿後の乾燥した空気は室外に排気する。次に、一定時間空気流を室内に戻す側にダンパを切り換え、ヒータに通電して室内からの吸込空気を加熱し、この加熱空気を上記吸湿した吸着剤に流し、吸着剤から水分を脱着させ加湿した後に室内に戻し、室内から室外に水分が失われるのを防止している。
【特許文献１】特開２０００−２７４７２７
【特許文献２】特開平１０−４７７０６号公報
【発明の開示】
【発明が解決しようとする課題】
【０００６】
従来技術である特許文献１の給排気機構では、熱や水分の回収を行っていないため、暖房時の排気運転において、室内の暖かい空気が室外に放出されて大きな熱損失や水分損失を招き、また冷房時の排気運転において、室内の冷たい空気が室外に放出されて大きな冷熱損失を招いてしまう。
【０００７】
また、特許文献２の排気環気機構では、給気機構が組み込まれておらず、室内の空気を十分には新鮮にできない。さらに、吸湿した吸着剤（蓄熱吸湿材）から水分を脱着させる再生作用にヒータを使用しており、再生時の消費電力が大きくなるという課題がある。
【０００８】
本発明の目的は、排気と給気が可能で室内空気を十分新鮮にでき、暖房及び冷房時の排気運転における熱損失や水分損失を低減でき、さらに蓄熱吸湿材の脱着再生時の消費電力が少なく、構造が比較的簡単な熱回収保湿可能な給排気機構及びこれを搭載した空気調和機を提供することにある。
【課題を解決するための手段】
【０００９】
前記課題を解決するために、本発明は主として次のような構成を採用する。  
室内から空気を排出する排気運転、室内の空気を循環する環気運転、並びに室内に空気を供給する給気運転、を実行し得る給排気機構であって、
排気通風路、環気通風路、給気通風路からなる通風路と、各通風路に空気を送る１個の送風ファンと、各通風路を形成するためのダンパと、通気性のある蓄熱吸湿材と、を備え、
排気、環気、並びに給気の各運転における気流が前記蓄熱吸湿材を通り、前記蓄熱吸湿材での熱回収と水分回収を行い得る構成とする。
【００１０】
また、前記給排気機構において、前記排気運転と前記給気運転との交互運転で熱回収を行い、前記排気運転と前記環気運転との交互運転で水分回収を行う構成とする。
【００１１】
また、前記給排気機構において、前記ダンパは、第１と第２のダンパから構成されて前記通風路に設けられ、前記第１のダンパは排気通風路又は環気通風路と給気通風路とを切り換え、前記第２のダンパは排気通風路と環気通風路又は給気通風路とを切り換え、
前記第１と第２のダンパを切り換えることによって、排気運転、環気運転、給気運転のそれぞれの運転を行えるようにする構成とする。
【発明の効果】
【００１２】
本発明によれば、給排気機構を、排気通風路、環気通風路、給気通風路、１個の給排気用ファン、固定型蓄熱吸湿材から構成し、さらに、ダンパにより排気、環気、給気の運転を切替えることにより、比較的簡易構造で排気、環気、給気の各運転が可能な給排気機構にすることができ、しかもコンパクト化が可能で空気調和機の室内機に組み込み易くすることができる。
【００１３】
また、給排気機構は、暖房運転時において、蓄熱吸湿材を加熱しながらの排気運転、加熱された蓄熱吸湿材で加熱しながらの給気運転を行なうことにより熱回収型の給排気運転が可能である。
【００１４】
さらに、室内空気の吸込通風路を、室内熱交換器で熱交換した後の空気を導入できるように構成し、暖房運転時に室内熱交換器で加熱した暖気を蓄熱吸湿材に流すことにより、排気運転時に蓄熱吸湿材に吸着された水分を放出させ室内に戻す環気保湿運転を行うことができる。
【００１５】
さらに、冷房運転時には、排気の時に蓄熱吸湿材を冷却し、そのあと給気を行うことにより、高温の外気を蓄熱吸湿材で冷却してから室内に導入でき、排気時の冷力の損失を防ぐことができる。
【００１６】
また、給排気機構は、給気が可能であることから、夏の夜等で外気温が室温より低くなるような場合には、外気を導入することにより、低消費電力で冷房を行える。また冬等でも日射が強く外気温が室温より高くなるような場合には、外気を導入することにより、低消費電力で暖房を行うことができる。
【００１７】
また、給排気機構は、ダンパを用いて通風路を切換えるようにしたことにより、室内空気を吸い込んで再び室内に戻す環気運転が可能となり、給排気用ファンの能力を制御したり、給排気機構の室内側吹出口の形状を変えることにより、室内に吹出す気流の風速や風向を制御でき、室内での空気の淀みや温度分布の解消に利用できる。
【発明を実施するための最良の形態】
【００１８】
本発明の給排気機構に係る実施の形態について、実施例１〜４を挙げて図面を参照しながら以下詳細に説明する。
【実施例１】
【００１９】
本発明の吸排気機構に係る実施例１を図１から図３を用いて説明する。図１は本発明の熱及び水分回収可能な給排気機構に係る実施例１の模式的構成を示す図である。図２は本発明の給排気機構に係る実施例１を搭載した室内機の構成を示す図である。図３は図２に図示された吸排気機構の部分的な詳細構成を示す図である。
【００２０】
図１〜図３において、１は給排気機構、２は室内熱交換器、３は室内機送風ファン、４は室内機の吸込みグリル、５は室内機の吹出口、６は給排気機構の室内側の吹出口、７は室内機内で熱交換器２や室内機送風ファン３等を収納する部分と給排気機構１を収納する部分とを仕切る仕切板、１７は室内熱交換器２等を収納する部分と給排気機構１をつなぐ風通路３９に設けたダンパ、をそれぞれ表す。
【００２１】
また、１０はケーシング４０の中に設けた給排気用ファン、１１は通風路断面積を大きくした蓄熱吸湿材室４１の中に設けた水分の吸着が可能で通風性を持たせた構造の固定型の蓄熱吸湿材、１２は室内側プレフィルタ、１３は室外側プレフィルタ、１４は空清フィルタ室４２の中に設けた空気清浄フィルタ、１５は排気・環気と給気とで通風路を切換える第１ダンパ、１６は排気と環気・給気とで通風路を切換える第２ダンパ、１７は室内吸込口１８からの空気流と室内熱交換器２で熱交換した後の空気流とに通風路を切換える第３ダンパ、１９は給排気機構の室内側吹出口、２０は室外側給排気口、をそれぞれ表す。これらの構成要素が通風路３０，３１，３２，３３，３４，３５，３６，３７，３８，３９を介して繋がっており、さらに、通風路３９は室内熱交換器２で熱交換した後の空気を給排気機構１の中に導くために、仕切板７を貫通して設けられている。なお、図３において、第１ダンパ１５、第２ダンパ１６は省略されている。
【００２２】
次に、上述した本発明の実施例１に係る熱回収保湿可能な給排気機構１の排気、環気、給気における動作・作用について、以下詳述する。ここで、排気並びに給気は室内から空気を排出すること並びに室内に空気を供給することを意味し、環気は室内の空気を循環することを意味する。
【００２３】
「暖房」
まず、暖房運転での種々の運転態様を説明する。
【００２４】
本発明の吸排気機構に係る実施例１における暖房排気運転時の動作と気流の流れ方向を図４に示す。図４において、第３ダンパ１７を、室内熱交換器２で熱交換された空気を通す通風路３９からの空気流が遮断され、室内側吸込口１８から吸込んだ空気流が通風路３０から通風路３１，３２へ流れるように切換え、また、第１ダンパ１５を、空気流が通風路３１から通風路３８へ流れるのが遮断され、通風路３１，３２から蓄熱吸湿材室４１の方に流れるように切換え、さらに、第２ダンパ１６を、空気流がファンケーシング４０に繋がる通風路３３から室内側吹出口１９に繋がる通風路３６の方へ流れるのを遮断し、通風路３３から通風路３４の方に流れるように切換える。
【００２５】
この結果、給排気用ファン１０の送風作用により、室内側吸込口１８から吸い込まれた室内の（汚れた）空気は、矢印で示す流れのように、室内側プレフィルタ１２、蓄熱吸湿材１１、給排気用ファン１０と通り、最後に室外側給排気口２０から室外に排出される。この場合、蓄熱吸湿材１１は、温かい室内空気で温められ加熱されると同時に室内空気の水分を吸着する。すなわち、蓄熱吸湿材１１は熱と水分を吸収する。
【００２６】
次に、室内空気を室内熱交換器２で加熱したあと蓄熱吸湿材１１を通して室内に戻す暖房加熱環気運転時の動作と気流の流れ方向を図５に示す。図５では、第３ダンパ１７を、通風路３０から通風路３１へ流れる空気流が遮断され、室内熱交換器２で加熱された暖気が通風路３９から通風路３１に流れるように切換え、また、第１ダンパ１５を、上記排気の場合と同様に、空気流が通風路３１から通風路３８へ流れるのを遮断し、通風路３１，３２から蓄熱吸湿材室４１の方に流れるように切換え、さらに、第２ダンパ１６を、空気流がファンケーシング４０に繋がる通風路３３から室外側給排気口２０に繋がる通風路３４，３５の方に流れるのを遮断し、通風路３３から室内側吹出口１９に繋がる通風路３６の方へ流れるように切換える。
【００２７】
この結果、給排気用ファン１０の送風作用により、室内空気が、矢印で示す流れのように、室内熱交換器２で加熱されてから、室内側プレフィルタ１２、蓄熱吸湿材１１、給排気用ファン１０と通り、最後に室内側吹出口１９から再び室内に戻される。この場合、蓄熱吸湿材１１は、室温より高い空気流で加熱されるため（室内熱交換器２で加熱された空気の一部を通風路３９から取り入れるため）、先に述べた排気運転時に吸着した水分を放出し、室内に戻る空気は加湿されることになる。すなわち、上述した排気運転時に吸着された水分が再び室内に戻されることになり、蓄熱吸湿材１１を介しての排気運転と加熱環気運転を併用することにより、排気運転による水分の室外放出を防ぐことができる（水分を回収することができる）。
【００２８】
次に、暖房給気運転時の動作と気流の流れ方向を図６に示す。図６において、第２ダンパ１６を、室外側給排気口２０から入った空気流が、通風路３４から通風路３３及び３６へ流れるのを遮断し、通風路３５から空清フィルタ室４２の方へ流れるように切換え、また、第１ダンパ１５を、空気流が通風路３８から通風路３１へ流れるのを遮断し、通風路３８から蓄熱吸湿材室４１の方へ流れるように切換える。なお、第３ダンパ１７はどの位置でも良い。
【００２９】
この結果、給排気用ファン１０の送風作用により、室外側給排気口２０から吸い込まれた室外の空気は、矢印で示す流れのように、室外側プレフィルタ１３、空気清浄フィルタ１４、蓄熱吸湿材１１、給排気用ファン１０を順に通り、最後に室内側吹出口１９から室内に給気される。
【００３０】
この給気運転を前述の排気運転の後に行なった場合には、室外からの給気は、排気運転で加熱されている蓄熱吸湿材１１により加熱されてから室内に吹出されるため、排気運転の時に蓄熱吸湿材１１で回収した熱を室内に戻すことになり、熱損失のない排気、給気運転を行なうことができる（熱を回収することができる）。また、この給気運転を、前述の環気運転の後に行なった場合には、室外からの給気は環気運転時に蓄熱吸湿材１１に蓄えられている熱で加熱されてから室内に吹出されるため、蓄熱吸湿材１１に蓄えられているで熱を回収して室内に戻すことになり、熱損失のない排気・環気・給気運転を行なうことができる。
【００３１】
以上説明したように、暖房運転において、給排気機構を排気、加熱環気、給気を個別に切換えて運転することにより、排気による室外への熱や水分の放出を防いで熱損失及び水分損失の少ない給排気を行うことができる。
【００３２】
「冷房」
次に、冷房運転での種々の運転態様を説明する。
【００３３】
冷房排気運転時の動作と気流の流れ方向は、先に説明した暖房排気運転時の場合と同一である。第１ダンパ１５、第２ダンパ１６、第３ダンパの位置及び矢印で示す気流の流れ方向は、図４に図示するようになる。そして、給排気用ファン１０の送風作用により、室内側吸込口１８から吸い込まれた室内の（汚れた）空気は、矢印で示す流れのように、室内側プレフィルタ１２、蓄熱吸湿材１１、給排気用ファン１０と通り、最後に室外側給排気口２０から室外に排出される。またこの場合、蓄熱吸湿材１１は、冷やされた室内空気で冷却され、低温になる。
【００３４】
次に、冷房給気運転時の動作と気流の流れは、先に説明した暖房給気運転時（図６）の場合と同一である。第１ダンパ１５、第２ダンパ１６、第３ダンパの位置及び矢印で示す気流の流れ方向は、図６に図示するようになる。そして、給排気用ファン１０の送風作用により、室外側給排気口２０から吸い込まれた室外の空気は、矢印で示す流れのように、室外側プレフィルタ１３、空気清浄フィルタ１４、蓄熱吸湿材１１、給排気用ファン１０を順に通り、最後に室内側吹出口１９から室内に給気される。
【００３５】
この冷房給気運転を前述の冷房排気運転の後に行なった場合には、室外からの給気は排気運転で冷却されている蓄熱吸湿材１１により冷却されてから室内に吹出されるため、排気運転の時に蓄熱吸湿材１１で回収した冷力を室内に戻すことになり、冷力損失の少ない給気運転を行なうことができる（冷熱を回収することができる）。
【００３６】
以上説明したように、冷房運転において、給排気機構を排気と給気を交互に切換えて運転することにより、排気運転時の室外への冷熱の放出を防いで冷力損失の少ない給排気を行うことができる。
【００３７】
「外気導入空調」
図１に示す給排気機構を備えた空気調和機では、外気導入運転により冷房運転や暖房運転の代わりをすることができる。
【００３８】
夏の夜等では、室内より室外の方が温度の低くなることがあり、この場合には冷凍サイクルを用いた冷房冷房運転を行わず、図６の外気を導入する給気運転を行うことにより室内を冷房することができることになる。また冬で天気が良く日射量の多い所では、室内よりも室外の方が温度の高くなることもあり、この場合には冷凍サイクルを用いた暖房運転を行わず、図６の外気を導入する給気運転を行うことにより室内を暖房することができることになる。このように外気導入の給気運転により、冷凍サイクルを用いた空調に比べて、省エネルギ状態で冷房や暖房を行うことができる。
【００３９】
「通常環気」
図１〜図３に示す実施例１では、暖房運転及び冷房運転時に、（室内と室外での空気の出入りを行わない、また、図５で説明した暖房時の室内熱交換器２による室内空気の加熱を行わない）室内での空気の循環だけ行う通常環気運転を行うことができる。この場合の動作と気流の流れを図７に示す。
【００４０】
図７では、第３ダンパ１７を、通風路３９から通風路３１へ流れる空気流を遮断し、室内側吸込口１８から吸込んだ室内空気が通風路３０から通風路３１に流れるように切換え、また、第１ダンパ１５を、空気流が通風路３１から通風路３８へ流れるのを遮断し、通風路３１，３２から蓄熱吸湿材室４１の方に流れるように切換え、さらに、第２ダンパ１６を、空気流が、通風路３３から室外側給排気口２０に繋がる通風路３４，３５へ流れるのを遮断し、通風路３３から室内側吹出口１９に繋がる通風路３６の方へ流れるように切換える。
【００４１】
この結果、給排気用ファン１０の送風作用により、室内空気が、（室内熱交換器２で加熱されずに、）矢印で示す流れのように、室内側吸込口１８から、室内側プレフィルタ１２、蓄熱吸湿材１１、給排気用ファン１０を順に通り、最後に室内側吹出口１９から再び室内に戻される。
【００４２】
この運転は、室内空気吸込口１８から吸い込んでそのまま室内に戻す運転であるが、給排気用ファンの能力や室内側吹出口形状を適切にすることにより、風速や風向を制御して、室内空気の淀み解消や温度分布解消に使うことができる。
【実施例２】
【００４３】
（ヒータ付き構成）
本発明の吸排気機構に係る実施例２を図８を用いて説明する。図８は本発明の吸排気機構に係る実施例１を示す図１及び図５の二点鎖線で囲んだ部分に相当する構成を示す図であり、通風路３１，３９内にヒータを設けたものである。ヒータとしては５０，５１，５２の内の少なくとも一つ以上を設けるようにしたものである。また、図１及び図５と同一番号を付したものは同一の構成要素を示す。
【００４４】
蓄熱吸湿材１１からの水分を放出する場合、流す空気流の温度は高くした方が、回収率を高くでき、また回収時間を短くすることができる。このためには、室内空気を室内熱交換器２で加熱するのに加えて、ヒータで加熱することが考えられる。
【００４５】
図８に示す実施例２では、暖房加熱環気運転において、室内空気を室内熱交換器２で加熱した後、さらにヒータ５０あるいは５１あるいは５２で加熱することにより空気温度を更に上昇させてから吸着材１１に流すことが可能になり、蓄熱吸湿材１１からの水分の回収時間の短縮や回収率の向上を図ることができる。
【００４６】
なお、図８の実施例２では、ヒータ５０あるいは５１あるいは５２を設けてあることから、暖房加熱環気運転において、室内からの吸込空気を室内熱交換器２で加熱しなくとも、蓄熱吸湿材１１から水分を脱着させることができる。この場合には、第３ダンパを、通風路３９を閉じ通風路３０を開くように切換える。
【実施例３】
【００４７】
（ヒータ付き、第３ダンパ無し構成）
本発明の吸排気機構に係る実施例３を図９を用いて説明する。図９は本発明の給排気機構に係る実施例３における暖房加熱環気運転時の動作と気流方向を示す図である。図９に示す実施例３は、図１に示す実施例１における、通風路３９及び第３ダンパ１７を無くし、さらに室内側吸込口１８に繋がる通風路６０にヒータ５３又は５４を設けた構成である。また、図１と同一符号を付けたものは、同一の構成要素を表す。なお、ヒータは、室内側プレフィルタ１２の前後の何れか１つでも良い。
【００４８】
図９において、暖房加熱環気運転時には、第１ダンパ１５、第２ダンパ１６は実施例１と同様に切換え、ヒータ５３及び／又は５４を通電して運転する。この場合、室内側吸込口１８から吸い込まれた室内空気は、ヒータ５３及び／又は５４で加熱された後、蓄熱吸湿材１１を通り水分を脱着させ、更に給排気用ファン１０を通って室内側吹出口１９から室内に戻される。そして、排気運転時等に蓄熱吸湿材１１に吸着されていた水分を回収でき、室内の湿度低下を抑えることができる。また、図９に示す構成では、通風路３９や第３ダンパが不要で、構造が比較的単純な給排気機構ににすることができる。
【００４９】
なお、図９の構成においては、排気運転、給気運転、通常環気運転、外気導入運転は、実施例１あるいは２において第３ダンパの動作が不要になるだけで、他の動作は実施例１あるいは２と同じであり、同様の効果が得られる。
【実施例４】
【００５０】
本発明の熱及び水分回収可能な給排気機構に係る実施例４について、吸排気機構の具体的構成を図１０と図１１を用いて説明する。図１０は本発明の給排気機構に係る実施例４における具体的構造の外観斜視図である。図１１は図１０の給排気機構で右側板７０を取り除いた図である。
【００５１】
図１０と図１１において、図面上における左側が、図２に示す室内機搭載の吸排気機構１の前方部に相当し、図面上における手前側が室内機と接する側に相当する。そして、右側板７０には、図１における室内熱交換器等を収納する部分と給排気機構を繋ぐ通風路３９に相当する通風口７６が設けられている。給排気機構１は、その内部空間の上半分を送風機部とし、下半分に各種フィルタを配置することで幅寸法（図２に図示する吸排気機構１の左右寸法）を狭くし、室内機の幅寸法の拡大をできるだけ抑えて室内機内に収納できるように構成する。
【００５２】
図１０、図１１において、図１から図９と同一番号を付したものは同一の構成要素を示す。給排気用ファン１０はシロッコファン、ターボファンなどの遠心ファンにより構成され、狭い通風路であっても高風量を得られるようにしてある。
【００５３】
給排気機構の上半分に位置する送風機部は、給排気用ファン１０、給排気用ファンを駆動するファンモーター７１、内部に蓄熱吸湿材１１を収納する蓄熱吸湿材室４１、給排気用ファンの空気吹出側の通風路を形成すると共に給排気用ファン１０及びファンモーター７１が収納された給排気用ファンケーシング４０、蓄熱吸湿材室４１と給排気用ファンケーシング４０とを仕切るマウスリング７２、蓄熱吸湿材室４１の吸込側に位置する第１ダンパー１５、室内空気が吸い込まれる室内吸込口１８、を備えている。給排気用ファン１０は遠心型ファンであり、室内機の長手方向であるファン軸方向から空気を吸い込んで円周方向に吹き出す。
【００５４】
給排気機構の下半分は、空気清浄フィルター１４、室外側プレフィルター１３、室内側吹出口へ空気を導く通風路３６、汚れた室内空気を室外に排気もしくは新鮮な室外空気を室内に取り込む室外側給排気口２０、風路を切り替え空気の流れを制御する第２ダンパ１６（詳細省略）、等を備えている。給排気機構の下半分は、正面視して高さ方向に左右の空間に仕切られており、その左右の空間の空気流の移動は空気清浄フィルター１４を介して行われる。
【００５５】
また、空気清浄フィルター１４及び室外側プレフィルター１３は、給排気機構１に挿入する際、室内機の正面側から奥行き方向に向かって挿入される。そしてこれらのフィルターを図１１に示すように上下方向に並んで配設することで、給排気用ファンの軸方向寸法を狭くすることができる。さらに、空気清浄フィルター１４及び室外側プレフィルター１３はともに給排気機構の正面側に取っ手７４及び７５が位置しており、必要に応じて室内機のフロントカバーをあけて、取っ手７４及び７５をもってこれらのフィルタを抜き取り及び装着することができる。なお、室内側プレフィルタ１２は室内機全体のプレフィルタと一体に構成されている（図示省略）。
【００５６】
次に、本発明の吸排気機構に係る実施例４における運転態様について、図１２から図１４を参照しながら、代表的な排気、暖房加熱環気、給気の各運転を説明する。図１２は本実施例４における排気運転時の送風状態を示す図である。
【００５７】
排気運転の場合、室内空気は、室内吸込口１８から吸い込まれた後、第１ダンパ１５から、蓄熱吸湿材１１、給排気用ファン１０、紙面上で背面側になる第２ダンパ１６を通り、紙面上で表側になる室外側給排気口２０から室外に排気される。そして、本実施例１の図４で述べた作用を行い、同じ効果が得られる。
【００５８】
暖房加熱環気運転の場合を図１３を用いて説明する。この場合、室内空気は、室内熱交換器２で加熱された後、通風口７６、第３ダンパ１７を通って蓄熱吸湿材１１に入り、ここで水分を脱着させ、更に給排気用ファン１０、紙面上で背面側になる第２ダンパ１６、紙面上で表側になる通風路３６を通って、室内側吹出口１９から室内に吹き出される。そして、本実施例１の図５で述べた作用を行い、同じ効果が得られる。
【００５９】
給気運転の場合を図１４を用いて説明する。この場合、室外空気は、室外側給排気口２０から吸い込まれた後、室外側プレフィルター１３、空気清浄フィルター１４を通って空気中の塵埃を取り除かれたあと、紙面上で裏側になる通風路３８を通り、次に第１ダンパ１５を通って蓄熱吸湿材１１に入り、ここで蓄熱吸湿材１１により暖房の場合には加熱され、冷房の場合には冷却されて熱回収を行い、さらに給排気用ファン１０、紙面上で背面側になる第２ダンパ１６、紙面上で表側になる通風路３６を通って、室内側吹出口１９から室内に吹き出される。そして実施例１の図６で述べた作用を行い、同じ効果が得られる。  
なお、ここでは述べなかったが、実施例１で述べた外気導入空調や通常環気も同様に行うことができ、同様な効果を得ることができる。
【００６０】
以上説明したように、本発明の主たる特徴は、排気、環気、及び給気の３つの運転パターンを実施でき、各運転時における通風路に蓄熱吸湿材（熱を蓄えるとともに水分を吸着する材）を配置して、暖房時には、排気と給気との組み合わせで熱回収を実行できるとともに、排気と環気との組み合わせで水分回収を実行でき、さらに、冷房時には、排気と給気との組み合わせで熱回収を実行できる機能を奏させることである。ここで、水分回収に際して、環気のときに蓄熱吸湿材を通る空気は水分を回収できるように温度が高くなければならないので、室内熱交換機からの空気を利用したり、通風路にヒータを配置したり、また、その両者を用いてもよい。また、本発明では排気と給気・環気とは交互に運転されるので、各通風路に空気を送る送風ファンは１個設けることで済ませることができる。さらに、３つの運転パターンを形成するそれぞれの通風路に２つのダンパを配置し操作することで、単一の蓄熱吸湿材をそれぞれの通風路中に配させることができる（３つの運転パターンのそれぞれのパターンにおいて単一の蓄熱吸湿材を共通して使用できる）。
【図面の簡単な説明】
【００６１】
【図１】本発明の熱及び水分回収可能な給排気機構に係る実施例１の模式的構成を示す図である。
【図２】本発明の給排気機構に係る実施例１を搭載した室内機の構成を示す図である。
【図３】図２に図示された吸排気機構の部分的な詳細構成を示す図である。
【図４】本実施例１における暖房排気運転時の動作と気流の流れ方向を示す図である。
【図５】本実施例１における暖房加熱環気運転時の動作と気流の流れ方向を示す図である。
【図６】本実施例１における給気運転時の動作と気流の流れ方向を示す図である。
【図７】本実施例１における通常環気運転時の動作と気流の流れ方向を示す図である。
【図８】本発明の吸排気機構に係る実施例２を示す図であり、実施例１を示す図１及び図５の二点鎖線で囲んだ部分に相当する構成を示す図である。
【図９】本発明の給排気機構に係る実施例３における暖房加熱環気運転時の動作と気流方向を示す図である。
【図１０】本発明の給排気機構に係る実施例４における具体的構造の外観斜視図である。
【図１１】図１０に示す具体的構造においてカバーを外した図である。
【図１２】本実施例４における排気運転時の送風状態を示す図である。
【図１３】本実施例４における環気運転時の送風状態を示す図である。
【図１４】本実施例４における給気運転時の送風状態を示す図である。
【符号の説明】
【００６２】
１  給排気機構                    ２  室内熱交換器
３  室内機送風ファン              ４  室内機の吸込グリル
５  室内機の吹出口                ６  給排気機構の吹出口
７  仕切板                        １０  給排気用ファン
１１  通気性のある蓄熱吸湿材      １２  室内側プレフィルタ
１３  室外側プレフィルタ          １４  空気清浄フィルタ
１５  第１ダンパ                  １５  第１ダンパ
１６  第２ダンパ                  １７  第３ダンパ
１８  室内側吸込口                １９  室内側吹出口
２０  室外側給排気口              ３０，３１，３２，３３  通風路
３４，３５，３６，３７  通風路    ３８，３９，６０  通風路
４０  給排気用ファンケーシング    ４１  蓄熱給湿材室
４２  空清フィルタ室              ５０，５１，５２，５３  ヒータ
【図１】
2005249364.tif 000003
【図２】
2005249364.tif 000004
【図３】
2005249364.tif 000005
【図４】
2005249364.tif 000006
【図５】
2005249364.tif 000007
【図６】
2005249364.tif 000008
【図７】
2005249364.tif 000009
【図８】
2005249364.tif 000010
【図９】
2005249364.tif 000011
【図１０】
2005249364.tif 000012
【図１１】
2005249364.tif 000013
【図１２】
2005249364.tif 000014
【図１３】
2005249364.tif 000015
【図１４】
2005249364.tif 000016